(57)【要約】【課題】小型で使用者が携帯でき、各種環境における使用に便利であり、サウンドが他人の迷惑にならない小型ドルビーデコーダー内蔵ヘッドホン装置を提供する。【解決手段】  ドルビーデコーダー１１と、ヘッドホン１２とによって構成されており、前記ドルビーデコーダー１１は一つのデジタル光入力端子、サウンド出力端子、コントロール画面１１１、コントロール部品１１２を有しており、前記入力端子はデジタル光ケーブル２および光プラグ２１によって、外部電子製品３のデジタルオーディオ信号を入力し、さらに前記ドルビーデコーダー１１による位相時間差を有するサウンドにデジタル変換する技術を利用して、ドルビーサラウンド効果を生成し、さらにサウンド出力端子に固定されたヘッドホンケーブル４１によって、サウンドをヘッドホン１２に出力し、使用者はサウンドを聞くことができ、他人に迷惑も掛からない。【選択図】  図１
2006013907.tif 000002
【特許請求の範囲】
【請求項１】
ドルビーデコーダーと、一つ以上のヘッドホンとを備える小型ドルビーデコーダー内蔵ヘッドホン装置において、
前記ドルビーデコーダーは、デジタル光入力端子と、一つ以上のサウンド出力端子とを有しており、前記入力端子は電子製品からの音源のデジタル信号を入力することができ、さらに前記ドルビーデコーダーによる、位相時間差を有するサウンドにデジタル変換する技術によって、ドルビーサラウンドサウンドを生成し、さらに一つ以上のサウンド出力端子によって、そのサウンド信号を一つ以上のヘッドホンに出力し、使用者はヘッドホンによって、ドルビーサラウンドサウンドを聞くことができ、
本発明は前記ドルビーデコーダーの体積を縮小しているので、使用者は携帯して使用することができ、各種の環境における使用に便利であり、さらにヘッドホンによって聞くので、サウンドが他人の迷惑になることがないことを特徴とする小型ドルビーデコーダー内蔵ヘッドホン装置。
【請求項２】
前記サウンド出力端子は固定式ヘッドホンケーブル、或いは外接式ヘッドホンケーブルのプラグを挿入することができ、サウンドは固定式ヘッドホン、或いは外接式ヘッドホンに出力されることを特徴とする請求項１に記載の小型ドルビーデコーダー内蔵ヘッドホン装置。
【請求項３】
前記サウンド出力端子はサウンド分配器と接続することができ、サウンドはサウンド分配器を経由して分配され、二つのヘッドホンを使用することができ、前記サウンド出力端子は直接二つ以上のヘッドホンを固定接続したり、或いは二つ以上のヘッドホンを外接したりすることができることを特徴とする請求項１に記載の小型ドルビーデコーダー内蔵ヘッドホン装置。
【発明の詳細な説明】
【技術分野】
【０００１】
本発明は小型ドルビーデコーダー内蔵ヘッドホン装置に係り、特にドルビーデコーダーを縮小し、使用者が携帯できるようにし、各種環境における使用に便利であり、さらにヘッドホンからサウンドを出力して使用することによって、サウンドが他人の迷惑にならない小型ドルビーデコーダー内蔵ヘッドホン装置に関わる。  
【背景技術】
【０００２】
世の中の各種ホームシアターの音響セットは、各式のＤＶＤ再生機器と、放送機器内に設置されているドルビーデコーダーによって、音源をドルビーサウンドに変換し、それを各スピーカーに送信し、さらに固定位置に設置された数個のスピーカーによって多チャンネルのドルビーサウンドを生成し、使用者がそれを楽しむものであるが、上述のホームシアターの音響の設置方式には下記のような欠点および不足が存在する。
【０００３】
１  ホームシアターの音響セットは固定位置に設置されており、そのために決められた部屋や特定の空間および位置で聞くことしか出来ず、時間や場所を好きなように変更してドルビーサウンドを楽しむことができない。
２  ホームシアターの音響セットを使用する時に発生する過大なサウンドは他人の迷惑になってしまい、そのために使用上の制限が発生してしまう。
３  ホームシアターの音響セットを設置する時、環境区域の制限があり、そのために設置に十分な空間がないという問題が発生する。
４  ホームシアター音響セットの設置にはしばしば多大な費用が掛かってしまう。
５  ホームシアター音響セットは有線方式を採用して設置されており、そのためにケーブルの施工に時間と労力が掛かってしまう。
【０００４】
このことから分かるように、上述の公知構造のホームシアターの音響セットの設置方式には多くの欠点と不足が存在し、完全に優れた設計ではなく、至急改良が必要である。
【０００５】
本発明の発明者は上述のホームシアターの音響セットの設置方式において発生する種々の欠点と不足を鑑み、多年に渡る研究の末、ついに小型ドルビーデコーダー内蔵ヘッドホン装置を完成させた。
【発明の開示】
【発明が解決しようとする課題】
【０００６】
本発明の目的は、使用環境の制限を受けない、使用者が携帯できる小型ドルビーデコーダー内蔵ヘッドホン装置を提供することである。
【０００７】
本発明の次の目的は、使用者がヘッドホンによってサウンドを聞くことができ、サウンドの品質は保ったままで、さらに他人の迷惑にならない小型ドルビーデコーダー内蔵ヘッドホン装置を提供することである。
【０００８】
本発明のもう一つの目的は、設置空間および施工上の制限を受けない小型ドルビーデコーダー内蔵ヘッドホン装置を提供することである。
【０００９】
本発明のさらにもう一つの目的は、ドルビーサラウンドサウンドを楽しむことができ、多大な設置コストが掛からない小型ドルビーデコーダー内蔵ヘッドホン装置を提供することである。
【課題を解決するための手段】
【００１０】
上記課題を解決するために、本発明は、小型ドルビーデコーダー内蔵ヘッドホン装置であり、
ドルビーデコーダーと、一つ以上のヘッドホンとによって構成されており、前記ドルビーデコーダーは外部電子製品（例えばＤＶＤプレーヤー、ＣＤプレーヤー、ＭＰ３プレーヤー、ＴＶ、チューナー、ＶＣＤプレーヤー、ステレオ、各式コンピュータ等）から入力されるデジタル光オーディオ信号を受信することができ、さらに前記ドルビーデコーダーによる、デジタルオーディオ信号を、位相時間差を有するサウンドに変換する技術により、ドルビーサラウンド効果を生成し、さらに固定式、或いは外接式のヘッドホンにより使用者はそのサウンドを聞くことができ、本発明は前記ドルビーデコーダーの体積を縮小しているので、使用者は携帯することができ、各種環境においての使用に便利であり、さらにヘッドホンによるサウンド出力を行うことにより、サウンドが他人の迷惑になるのを避けるものである。
【発明の効果】
【００１１】
１  本発明のドルビーデコーダー内蔵ヘッドホン装置は、使用環境の制限を受けることがなく、使用者は携帯して使用することができる。
２  本発明のドルビーデコーダー内蔵ヘッドホン装置は、使用者がヘッドホンによってサウンドを聞くことができ、ホームシアターのサウンドの品質を保つことができるだけでなく、他人に迷惑を掛けることがない。
３  本発明のドルビーデコーダー内蔵ヘッドホン装置は、設置空間および施工上の制限を受けることがなく、ただ一本の細いデジタル光ケーブルとＤＶＤ再生機器の光端子を接続すればよい。
４  本発明のドルビーデコーダー内蔵ヘッドホン装置は、ドルビーサラウンドサウンドを楽しむことができ、固定の空間、配備、配線に掛かるコストが必要ない。
５  本発明のドルビーデコーダー内蔵ヘッドホン装置は、素早く組立てができ、使用が簡単であるという優れた点を有しており、例えば、飛行機の待ち時間、ピクニック、電車の中等での使用が可能である。
【発明を実施するための最良の形態】
【００１２】
図１は本発明の小型ドルビーデコーダー内蔵ヘッドホン装置の第１の実施例を示す図であり、図から分かるように、本発明の小型ドルビーデコーダー内蔵ヘッドホン装置１は、一つのドルビーデコーダー１１と、一つのヘッドホン１２とによって構成されており、前記ドルビーデコーダー１１は一つのデジタル光入力端子、一つのサウンド出力端子、コントロール画面１１１、コントロール部品１１２を有しており、前記入力端子はデジタル光ケーブル２および光プラグ２１によって外部電子製品３（例えばＤＶＤプレーヤー、ＣＤプレーヤー、ＭＰ３プレーヤー、ＴＶ、チューナー、ＶＣＤプレーヤー、ステレオ、各式コンピュータ等）のデジタルオーディオ信号を入力し、さらに前記ドルビーデコーダー１１による、位相時間差を有するサウンドにデジタル変換する技術を利用して、ドルビーサラウンド効果を生成し、さらにサウンド出力端子に固定されたヘッドホンケーブル４１によって、サウンドをヘッドホン１２に出力し、使用者はサウンドを聞くことができ、前記ドルビーデコーダー１１上のコントロール画面１１１とコントロール部品１１２は、使用者が現在の使用状態を確認するのと音量を調整するのに使用され、本発明のドルビーデコーダーは体積を縮小しているので、使用者は携帯して使用することができ、各種環境においての使用に便利であり、さらにヘッドホンを使用してサウンドを聞くことによって、他人に迷惑を掛けるのを避けるものであり、例えば、携帯型ＤＶＤプレーヤーのデジタル光音源を前記ドルビーデコーダーに入力し、電車や飛行機上において、ヘッドホンによって、前記ドルビーデコーダーから出力されるドルビーサラウンドサウンドを聞くことができる。
【００１３】
図２は本発明の小型ドルビーデコーダー内蔵ヘッドホン装置の第２の実施例を示す図であり、図から分かるように、本発明の小型ドルビーデコーダー内蔵ヘッドホン装置１は、一つのドルビーデコーダー１１と、一つのサウンド分配器１６と、二つの外接式ヘッドホン１４、１５とによって構成されており、前記ドルビーデコーダー１１は一つのデジタル光入力端子、一つのサウンド出力端子、コントロール画面１１１、コントロール部品１１２を有しており、前記入力端子はデジタル光ケーブル２および光プラグ２１によって、外部電子製品３のオーディオ信号を入力し、さらに前記ドルビーデコーダー１１による、位相時間差を有するサウンドにデジタル変換する技術を利用して、ドルビーサラウンド効果を生成し、さらに前記サウンド分配器１６のサウンド入力端子１６１とサウンド出力端子を接続し、サウンド分配器１６の両出力端子１６２、１６３とそれぞれ二つの外接式ヘッドホン１４、１５をヘッドホンケーブル１４１、１５１上のヘッドホンプラグ１４１１、１５１１によって接続し、これによりサウンド信号は二つの外接式ヘッドホン１４、１５に出力され、二人の使用者が同時にサウンドを聞くことができ、前記ドルビーデコーダー１１上のコントロール画面１１１とコントロール部品１１２は、使用者が現在の使用状態を確認するのと音量を調整するのに使用される。
【００１４】
図３は本発明の小型ドルビーデコーダー内蔵ヘッドホン装置の第３の実施例を示す図であり、図から分かるように、本発明の小型ドルビーデコーダー内蔵ヘッドホン装置１は、ドルビーデコーダー１１と、二つのヘッドホンとによって構成されており、前記ドルビーデコーダー１１は一つのデジタル光入力端子、二つのサウンド出力端子、コントロール画面１１１、コントロール部品１１２を有しており、前記デジタル光入力端子はデジタル光ケーブル２および光プラグ２１によって、外部電子製品３からのデジタルオーディオ信号を入力し、さらに前記ドルビーデコーダー１１による、位相時間差を有するサウンドにデジタル変換する技術を利用して、ドルビーサラウンド効果を生成し、さらに両サウンド出力端子に固定された二つのヘッドホンケーブル４１、４２によって、サウンドをヘッドホン１２、１３に出力し、二人の使用者がサウンドを同時に聞くことができ、前記ドルビーデコーダー１１上のコントロール画面１１１とコントロール部品１１２は、使用者が現在の使用状態を確認するのと音量を調整するのに使用され、本発明のドルビーデコーダーは体積を縮小しているので、使用者は携帯して使用することができ、各種環境においての使用に便利であり、さらにヘッドホンを使用してサウンドを聞くことによって、他人に迷惑を掛けるのを避けるものであり、例えば、ゲーム機器から出力された光デジタルオーディオ信号を前記ドルビーデコーダーに入力し、二人の使用者はゲームを遊ぶのと同時にドルビーサラウンドサウンドを聞くことができ、第３者に迷惑を掛けることはない。
【００１５】
図４は本発明の小型ドルビーデコーダー内蔵ヘッドホン装置の第４の実施例を示す図であり、図から分かるように、本発明の小型ドルビーデコーダー内蔵ヘッドホン装置１は、一つのドルビーデコーダー１１と、一つの外接式ヘッドホン１４とによって構成されており、前記ドルビーデコーダー１１は一つのデジタル光入力端子、一つのサウンド出力端子、コントロール画面１１１、コントロール部品１１２を有しており、前記入力端子はデジタル光ケーブル２および光プラグ２１によって、外部電子製品３のオーディオ信号を入力し、さらに前記ドルビーデコーダー１１による、位相時間差を有するサウンドにデジタル変換する技術を利用して、ドルビーサラウンド効果を生成し、さらに外接式ヘッドホン１４をヘッドホンケーブル１４１上のヘッドホンプラグ１４１１によってサウンド出力端子と接続し、これによりサウンド信号は外接式ヘッドホン１４に出力され、使用者はサウンドを聞くことができ、前記ドルビーデコーダー１１上のコントロール画面１１１とコントロール部品１１２は、使用者が現在の使用状態を確認するのと音量を調整するのに使用される。
【００１６】
図５は本発明の小型ドルビーデコーダー内蔵ヘッドホン装置の第５の実施例を示す図であり、図から分かるように、本発明の小型ドルビーデコーダー内蔵ヘッドホン装置１は、一つのドルビーデコーダー１１と、二つの外接式ヘッドホン１４、１５とによって構成されており、前記ドルビーデコーダー１１は一つのデジタル光入力端子、二つのサウンド出力端子、コントロール画面１１１、コントロール部品１１２を有しており、前記入力端子はデジタル光ケーブル２および光プラグ２１によって、外部電子製品３のオーディオ信号を入力し、さらに前記ドルビーデコーダー１１による、位相時間差を有するサウンドにデジタル変換する技術を利用して、ドルビーサラウンド効果を生成し、さらにそれぞれ二つの外接式ヘッドホン１４、１５をヘッドホンケーブル１４１、１５１上のヘッドホンプラグ１４１１、１５１１によって二つのサウンド出力端子と接続し、これによりサウンド信号は二つの外接式ヘッドホン１４、１５に出力され、二人の使用者が同時にサウンドを聞くことができ、前記ドルビーデコーダー１１上のコントロール画面１１１とコントロール部品１１２は、使用者が現在の使用状態を確認するのと音量を調整するのに使用される。
【００１７】
本発明の進歩性と実用性をさらに明らかにするために、公知構造のものとの比較分析を下記に示す。
【００１８】
公知技術の欠点。
１  ホームシアターの音響セットは固定位置に設置されており、そのために決められた部屋や特定の空間および位置で聞くことしか出来ず、時間や場所を好きなように変更してドルビーサウンドを楽しむことができない。
２  ホームシアターの音響セットを使用する時に発生する過大なサウンドは他人の迷惑になってしまい、そのために使用上の制限が発生してしまう。
３  ホームシアターの音響セットを設置する時、環境区域の制限があり、そのために設置に十分な空間がないという問題が発生する。
４  ホームシアター音響セットの設置にはしばしば多大な費用が掛かってしまう。
５  ホームシアター音響セットは有線方式を採用して設置されており、そのためにケーブルの施工に時間と労力が掛かってしまう。
【００１９】
本発明の優れている点。
１  本発明のドルビーデコーダー内蔵ヘッドホン装置は、使用環境の制限を受けることがなく、使用者は携帯して使用することができる。
２  本発明のドルビーデコーダー内蔵ヘッドホン装置は、使用者がヘッドホンによってサウンドを聞くことができ、ホームシアターのサウンドの品質を保つことができるだけでなく、他人に迷惑を掛けることがない。
３  本発明のドルビーデコーダー内蔵ヘッドホン装置は、設置空間および施工上の制限を受けることがなく、ただ一本の細いデジタル光ケーブルとＤＶＤ再生機器の光端子を接続すればよい。
４  本発明のドルビーデコーダー内蔵ヘッドホン装置は、ドルビーサラウンドサウンドを楽しむことができ、固定空間、配備、配線に掛かるコストが必要ない。
５  本発明のドルビーデコーダー内蔵ヘッドホン装置は、素早く組立てができ、使用が簡単であるという優れた点を有しており、例えば、飛行機の待ち時間、ピクニック、電車の中等での使用が可能である。
【００２０】
上述の詳細な説明は、本発明の実施可能な実施例を具体的に説明してものであるが、前記実施例は本発明の範囲を制限するものではなく、本発明の技術精神を脱しない同等効果の実施または変更は全て本考案の範囲に含まれる。
【００２１】
本案は技術思想上確実に新規性を有するだけではなく、公知構造のものと比べても上述のように進歩性を有するものであり、十分に法で定められた特許請求の要件に符合するものであり、法に基づき申請を行う。
【図面の簡単な説明】
【００２２】
【図１】本発明の小型ドルビーデコーダー内蔵ヘッドホン装置の第１の実施例を示す図である。
【図２】本発明の小型ドルビーデコーダー内蔵ヘッドホン装置の第２の実施例を示す図である。
【図３】本発明の小型ドルビーデコーダー内蔵ヘッドホン装置の第３の実施例を示す図である。
【図４】本発明の小型ドルビーデコーダー内蔵ヘッドホン装置の第４の実施例を示す図である。
【図５】本発明の小型ドルビーデコーダー内蔵ヘッドホン装置の第５の実施例を示す図である。
【符号の説明】
【００２３】
１        小型ドルビーデコーダー内蔵ヘッドホン装置
１１      ドルビーデコーダー
１１１    コントロール画面
１１２    コントロール部品
１２      ヘッドホン
１３      ヘッドホン
１４      外接式ヘッドホン
１４１    ヘッドホンケーブル
１４１１  ヘッドホンプラグ
１５      外接式ヘッドホン
１５１    ヘッドホンケーブル
１５１１  ヘッドホンプラグ
１６      サウンド分配器
１６１    サウンド入力端子
１６２    サウンド出力端子
１６３    サウンド出力端子
２        デジタル光ケーブル
２１      光プラグ
３        電子製品
４１      ヘッドホンケーブル
４２      ヘッドホンケーブル
【図１】
2006013907.tif 000003
【図２】
2006013907.tif 000004
【図３】
2006013907.tif 000005
【図４】
2006013907.tif 000006
【図５】
2006013907.tif 000007